(57)【要約】【課題】封緘用テープを容易に切断し、摘んで剥がすことができるようにする。【解決手段】周壁を形成する各一対の端壁１及び側壁２の上端にそれぞれ内フラップ５及び外フラップ６を連設し、内フラップ５に外フラップ６を重ねて閉じ、外フラップ６の先端同士の突合部から端壁１までテープＴを貼り付けて封緘する箱において、前記内フラップ５と外フラップ６とを繋ぎ、内フラップ５に先端側中間部から端壁１側の両角部まで斜め方向に延びる谷折線８を入れ、内フラップ５を谷折線８に沿って折り込むようにし、内フラップ５と外フラップ６の側縁に跨ってテープ切断用切欠部９を設けると共に、内フラップ５及び外フラップ６の突合部に、テープ切断用切欠部９をさらに切り込んで刃逃げ用切欠部１０を設ける。突合部でずれた外フラップ６にカッターナイフの刃が衝突することがなく、また、浮き上がったテープＴの端部を容易に摘むことができる。【選択図】図４
0003173867.tif 000002
【実用新案登録請求の範囲】
【請求項１】
周壁を形成する各一対の端壁(1)及び側壁(2)の上端にそれぞれ内フラップ(5)及び外フラップ(6)を連設し、内フラップ(5)に外フラップ(6)を重ねて閉じ、外フラップ(6)の先端同士の突合部から端壁(1)までテープ(T)を貼り付けて封緘する箱において、前記内フラップ(5)と外フラップ(6)とを繋ぎ、内フラップ(5)に先端側中間部から端壁(1)側の両角部まで斜め方向に延びる谷折線(8)を入れ、内フラップ(5)を谷折線(8)に沿って折り込むようにし、内フラップ(5)と外フラップ(6)の側縁に跨ってテープ切断用切欠部(9)を設けたことを特徴とするテープ封緘箱。
【請求項２】
前記内フラップ(5)及び外フラップ(6)の突合部に、テープ切断用切欠部(9)をさらに切り込んで刃逃げ用切欠部(10)を設けたことを特徴とする請求項１に記載のテープ封緘箱。
【考案の詳細な説明】
【技術分野】
【０００１】
この考案は、テープ封緘される箱であって、カッターナイフでの開封性を考慮したものに関する。
【背景技術】
【０００２】
この種の段ボール箱として、例えば、下記特許文献１には、図７に示すように、周壁を形成する各一対の端壁５１及び側壁５２の上端にそれぞれ内フラップ５３及び外フラップ５４を連設し、内フラップ５３に外フラップ５４を重ねて閉じ、外フラップ５４の先端同士の突合部から側縁に設けたテープ切断用切欠部５５を経て、端壁５３までテープＴを貼り付けることにより封緘するものが記載されている。
【０００３】
この段ボール箱では、カッターナイフを用いて開封する際、側方から内フラップ５３と外フラップ５４の隙間にカッターナイフの刃を入れなくても、上方からテープ切断用切欠部５５でテープＴを切断し、切断縁に臨むテープＴの端部を摘んで、テープＴを剥がすことにより、比較的容易に開封することができる。
【０００４】
また、下記特許文献２には、図８に示すように、端壁５１にＨ字状の切目線を入れて、指入部５６及び摘み部５７を形成し、開封に際しては、指入部５６を押し込んで摘み部５７を摘み、摘み部５７と共にテープＴを剥がすようにしたものが記載されている。
【先行技術文献】
【特許文献】
【０００５】
【特許文献１】登録実用新案第３１６０７１０号公報
【特許文献２】特開２００３−３２７２３５号公報
【考案の概要】
【考案が解決しようとする課題】
【０００６】
しかしながら、上記特許文献１に記載されたような段ボール箱では、テープＴを切断した後、テープＴの切断縁に臨む端部と、内フラップ５３との間に十分な間隔がなく、テープＴの端部が摘みにくく感じることがある。
【０００７】
また、封緘状態のテープ切断用切欠部５５において、突き合わされた外フラップ５４の側縁がずれていると、外フラップ５４にカッターナイフの刃が衝突して、テープＴを切断しにくくなる場合がある。
【０００８】
また、上記特許文献２に記載されたような開封補助構造は、高さ方向の寸法が大きい箱にしか適用できないという問題がある。
【０００９】
そこで、この考案は、封緘用テープを容易に切断し、剥がすことができるようにすることを課題とする。
【課題を解決するための手段】
【００１０】
上記のような課題を解決するため、この考案は、周壁を形成する各一対の端壁及び側壁の上端にそれぞれ内フラップ及び外フラップを連設し、内フラップに外フラップを重ねて閉じ、外フラップの先端同士の突合部から端壁までテープを貼り付けて封緘する箱において、前記内フラップと外フラップとを繋ぎ、内フラップに先端側中間部から端壁側の両角部まで斜め方向に延びる谷折線を入れ、内フラップを谷折線に沿って折り込むようにし、内フラップと外フラップの側縁に跨ってテープ切断用切欠部を設けたのである。
【００１１】
また、内フラップ及び外フラップの突合部に、テープ切断用切欠部をさらに切り込んで刃逃げ用切欠部を設けたのである。
【考案の効果】
【００１２】
この考案に係るテープ封緘箱では、テープを切断すると、折り重なった内フラップの厚さ及び谷折線に沿った折曲部分での反発により、切断縁に臨むテープの端部が内フラップから浮き上がった状態となるので、テープの端部を容易に摘んで、テープを剥がし、開封することができる。
【００１３】
また、刃逃げ用切欠部を設けたので、カッターナイフによる開封時に、テープ切断用切欠部でテープを切断する際、突き合わされた外フラップの側縁が多少ずれていても、外フラップにカッターナイフの刃が衝突せず、テープを容易に切断することができる。
【００１４】
そして、この開封補助構造は、高さ方向の寸法が小さい偏平なテープ封緘箱にも、適用することができる。
【図面の簡単な説明】
【００１５】
【図１】この考案に係るテープ封緘箱のブランクを示す図
【図２】同上の封緘状態を示す斜視図
【図３】同上のカッターナイフによる切断過程を示す部分拡大斜視図
【図４】同上の切断後の状態を示す部分拡大斜視図
【図５】同上のテープを剥がす過程を示す斜視図
【図６】同上の開封状態を示す斜視図
【図７】特許文献１に記載の開封補助構造を備えたテープ封緘箱を示す斜視図
【図８】特許文献２に記載の開封補助構造を備えたテープ封緘箱を示す斜視図
【考案を実施するための形態】
【００１６】
以下、この考案の実施形態を添付図面に基づいて説明する。
【００１７】
このテープ封緘箱は、通信販売される化粧品の包装等に使用される段ボール製のものであり、図１に示すようなブランクから形成される。
【００１８】
このブランクでは、高さ方向の寸法が小さい各一対の端壁１及び側壁２が交互に連設され、端壁１及び側壁２には、下端にそれぞれ底フラップ３，４が、上端にそれぞれ内フラップ５及び外フラップ６が連設されている。
【００１９】
隣り合う内フラップ５と外フラップ６とは、側端同士が基部から中間部へかけて罫線を介して繋がれ、端部側に位置する一方の側壁２及び外フラップ６の外側端には、継代片７が連設されている。
【００２０】
内フラップ５には、先端側中間部の円弧状切込から端壁１側の両角部まで、端壁１との境界の罫線に対し４５°の角度で斜め方向に延びる谷折線８が入れられている。
【００２１】
谷折線８は、折込時の抵抗を軽減するため、内フラップ５の先端側がミシン目状に切目が断続するものとされ、端壁１側の過半部分が段ボールを表裏に貫通する全切線とされている。また、継代片７にも、ミシン目状の谷折線８が入れられている。
【００２２】
内フラップ５と外フラップ６の隣り合う側縁には、先端からスロット状のテープ切断用切欠部９が跨って設けられ、一方の外フラップ６と継代片７の連設部の側縁にも、同様にテープ切断用切欠部９が跨って設けられている。また、端部側の内フラップ５の外側縁にも、テープ切断用切欠部９が設けられている。
【００２３】
そして、これらの部分には、テープ切断用切欠部９を先端側からさらに円弧状に切り込んで、刃逃げ用切欠部１０が設けられている。
【００２４】
このようなブランクを箱に組み立てて商品を包装するには、図２に示すように、各一対の端壁１及び側壁２を角筒状に折り曲げて周壁を形成し、継代片７を反対側の端壁１及び内フラップ５に貼り付け、底フラップ３，４の重なる部分を対角位置で貼り合わせる工程を経て、製箱状態で底フラップ４同士を噛み合わせることにより底壁を形成する。
【００２５】
その後、箱内に商品を収納し、内フラップ５を谷折線８に沿って折り込みつつ、内フラップ５に外フラップ６を重ねて閉じ、天壁を形成した状態で、外フラップ６の先端同士の突合部から、刃逃げ用切欠部１０及びテープ切断用切欠部９を経て、端壁１までテープを貼り付けることにより封緘する。
【００２６】
上記のように封緘した段ボール箱をカッターナイフを用いて開封する際には、図３に示すように、箱の上方からテープ切断用切欠部９でテープＴを切断する。
【００２７】
このとき、突き合わされた外フラップ６の側縁が多少ずれていても、刃逃げ用切欠部１０が設けられていることから、外フラップ６のずれた部分にカッターナイフの刃が衝突することがなく、テープＴを容易に切断することができる。
【００２８】
そして、図４に示すように、テープＴを切断すると、折り重なった内フラップ５の厚さ及び谷折線８に沿った折曲部分での反発により、切断縁に臨むテープＴの端部が内フラップ５から浮き上がった状態となるので、テープＴの端部を容易に摘むことができる。
【００２９】
その後、テープＴの端部を摘んだ状態で、図５に示すように、外フラップ６からテープＴを剥がすと、図６に示すように、開封することができ、外フラップ６及び内フラップ５を開いて、商品を取り出すことができる。
【００３０】
なお、このような開封補助構造は、上記実施形態のように、高さ方向の寸法が小さい偏平なテープ封緘箱に適したものであるが、十分な高さのある通常サイズの段ボール箱に適用することもでき、その場合、端壁に切目線を入れて摘み部等を併設しておき、開封方法を選択できるようにしてもよい。
【符号の説明】
【００３１】
１  端壁
２  側壁
３，４  底フラップ
５  内フラップ
６  外フラップ
７  継代片
８  谷折線
９  テープ切断用切欠部
１０  刃逃げ用切欠部
Ｔ  テープ
【図１】
0003173867.tif 000003
【図２】
0003173867.tif 000004
【図３】
0003173867.tif 000005
【図４】
0003173867.tif 000006
【図５】
0003173867.tif 000007
【図６】
0003173867.tif 000008
【図７】
0003173867.tif 000009
【図８】
0003173867.tif 000010